【事件の表示】
　特許第３２９１１９５号「ジェル状化粧料」の請求項１〜４に係る特許に対する特許異議の申立てについて，次のとおり決定する。
【結　論】
　訂正を認める。
　特許第３２９１１９５号の請求項１，２に係る特許を維持する。
【理　由】
１．手続の経緯
　特許第３２９１１９５号に係る出願は，平成８年３月１８日に特許出願され，平成１４年３月２２日にその特許の設定登録がなされ，その後，谷川睦子及びカネボウ株式会社からそれぞれ特許異議の申立てがなされ，取消理由が通知され，その指定期間内である平成１５年５月２３日に特許権者から明細書の訂正が請求され(その後取り下げられた)，再度取消理由が通知され，その指定期間内である平成１５年７月１日に特許権者から明細書の訂正が請求されたものである。
　
２．訂正の適否についての判断
ア．訂正事項
　特許権者により請求された明細書の訂正事項は以下のとおりである。
ａ．特許明細書中の請求項１〜４を次のとおり訂正する。
「（請求項１）(ａ)(i)メタクリル酸と炭素数8〜24の高級アルコールとのエステル，アクリル酸と炭素数8〜24の高級アルコールとのエステル，スチレン，炭素数1〜12の炭化水素置換基をもつスチレン誘導体，炭素数8〜20の飽和カルボン酸のビニルエステル，アクリル酸，メタクリル酸及び炭素数4〜6のジオレフィンからなる群から選ばれるビニル系モノマーの１種又は２種以上を，非重合性の有機溶剤に溶解し，更にこの溶液を水中に懸濁，分散あるいは乳化させた状態で重合し，重合終了後，該有機溶剤を除去することにより得られる多孔質ビニル系ポリマー，及び(ii)多孔質ナイロンパウダーから選ばれる，スクワランの吸油量が2.0g/g以上の疎水性吸油粉体を0.5〜5重量％，(ｂ)次の一般式(１)
　┌　　　　　　　┐　　┌　　　　　　　┐
　｜　Ｈ　Ｈ　　　｜　　｜　Ｈ　ＣＨ３　｜
　｜　｜　｜　　　｜　　｜　｜　｜　　　｜
―┼―Ｃ―Ｃ―――┼――┼―Ｃ―Ｃ―――┼――　(１)
　｜　｜　｜　　　｜　　｜　｜　｜　　　｜
　｜　Ｈ　Ｃ＝Ｏ　｜　　｜　Ｈ　Ｃ＝Ｏ　｜
　｜　　　｜　　　｜　　｜　　　｜　　　｜
　｜　　　ＯＨ　　｜　　｜　　　ＯＲ１　｜
　└　　　　　　　┘Ｘ　└　　　　　　　┘Ｙ
（式中，Ｒ１は炭素数10〜30のアルキル基を示し，Ｘ及びＹはそれぞれ共重合体における各構成単位のモル％を示し，Ｘ＝80.0〜99.9モル％，Ｙ＝0.1〜20.0モル％である。）
で表わされるアルキル変性カルボキシビニルポリマーを0.1〜1重量％，及び(ｃ)組成物のpＨが5〜8となる量の塩基性物質を含有することを特徴とするジェル状皮膚化粧料。
（請求項２）疎水性吸油粉体が，平均粒径0.5〜50μmの球状粉体である請求項１記載のジェル状皮膚化粧料。
ｂ．特許明細書中，段落「0006」を次のとおり訂正する。
「【0006】
　すなわち，本発明は，(ａ)(i)メタクリル酸と炭素数8〜24の高級アルコールとのエステル，アクリル酸と炭素数8〜24の高級アルコールとのエステル，スチレン，炭素数1〜12の炭化水素置換基をもつスチレン誘導体，炭素数8〜20の飽和カルボン酸のビニルエステル，アクリル酸，メタクリル酸及び炭素数4〜6のジオレフィンからなる群から選ばれるビニル系モノマーの１種又は２種以上を，非重合性の有機溶剤に溶解し，更にこの溶液を水中に懸濁，分散あるいは乳化させた状態で重合し，重合終了後，該有機溶剤を除去することにより得られる多孔質ビニル系ポリマー，及び(ii)多孔質ナイロンパウダーから選ばれる，スクワランの吸油量が2.0g/g以上の疎水性吸油粉体を0.5〜5重量％，(ｂ)後記一般式(１)で表わされるアルキル変性カルボキシビニルポリマーを0.1〜1重量％，及び(ｃ)組成物のpＨが5〜8となる量の塩基性物質を含有することを特徴とするジェル状皮膚化粧料を提供するものである。」
ｃ．特許明細書中，段落「0010」内の第２パラグラフの「かかる疎水性吸油粉体……一般式(２)及び(３)」とあるを，「かかる疎水性吸油粉体の具体例としては，オルガソール2002(エルフ オートケム社製)等の多孔質ナイロンパウダー；」と訂正する。
ｄ．特許明細書中，段落「0011」の全文を削除する
ｅ．特許明細書中，段落「0012」内の「(式中……多孔質ビニル系ポリマー等が挙げられる。」とあるを，「多孔質ビニル系ポリマー等が挙げられる。」と訂正する。
ｆ．特許明細書中，段落「0023」の第１パラグラフの「本発明品１〜４」とあるを，「本発明品１〜３」と訂正する。
ｇ．特許明細書中，段落「0025」の［表１］中，組成の欄の「ジメチルシリコーン架橋エラストマー(トレフィルE-506C)注4)」，「本発明品４」の欄及び脚注の「注4) 平均粒径5μm，スクワラン吸油量2g/g」を削除する。
ｈ．特許明細書中，段落「0028」の全文を削除する。
　
イ．訂正の可否に対する判断
　上記訂正事項ａは特許請求の範囲の減縮を目的とし，また，上記訂正事項ｂ〜ｈは訂正事項ａにともなう不明りょうな記載の釈明を目的とするものであって，いずれも特許明細書に記載した事項の範囲内においてされたものであり，かつ，実質上特許請求の範囲を拡張し又は変更するものでもない。
　
ウ．むすび
　以上のとおりであるから，上記訂正は，いずれも特許法第120条の4第2項並びに同条第3項において準用する同法第126条第2項及び第3項の規定に適合するので，当該訂正を認める。
　
３．特許異議の申立てについての判断
ア．申立ての理由の概要
　特許異議申立人谷川睦子(以下「谷川」という)及び同カネボウ株式会社(以下「カネボウ」という)の申し立てた理由は概略以下のとおりである。
ａ．本件明細書に疎水性吸油粉体の具体例として記載されているトレフィルE-506C及びマイクロスフェアーMのスクワランの吸油量は，証拠(谷川の甲第１号証，カネボウの甲第１号証及び甲第２号証)によれば，請求項１に記載の「スクワラン吸油量が2.0g/g以上」の範囲を外れるものであるから，明細書の記載には不備があり，本件特許は特許法第36条第4項及び第6項第2号に規定する要件を満たしていない特許出願に対してされたものである。
ｂ．本件発明は，特開平5-97644号公報(谷川の甲第２号証：以下「刊行物１」という)，特開平6-72824号公報(谷川の甲第３号証：以下「刊行物２」という)，国際公開第94/17774号パンフレット(カネボウの甲第３号証：以下「刊行物３」という)に記載された発明であるか，又はこれらに基づいて当業者が容易に発明をすることができたものであるから，本件特許は特許法第29条の規定に違反してされたものである。
　
　なお，申立人が提出した証拠は次のとおりである。
申立人谷川提出
甲第１号証：カタログ「パーソナルケア用シリコーン」東レ・ダウコーニング・シリコーン株式会社（発行日不明）16頁
甲第２号証：特開平5-97644号公報（平成5年4月20日公開）
甲第３号証：特開平6-72824号公報（平成6年3月15日公開）
　
申立人カネボウ提出
甲第１号証：カタログ「パーソナルケア用シリコーン」東レ・ダウコーニング・シリコーン株式会社（2000年12月発行）全頁
甲第２号証：「2002年11月28日付け試験報告書」松本油脂製薬株式会社第３営業部部長蔦谷幹男作成
甲第３号証：国際公開WO94/17774号パンフレット（1994年8月18日発行）
参考資料１：特表平8-506583号（平成8年7月16日公表）〔甲第３号証の翻訳文として〕
参考資料２：「化粧品原料辞典」日光ケミカルズ株式会社ほか（平成3年11月29日発行）237頁右欄「スクワラン」の項
　
イ．訂正明細書の請求項１に係る発明
　本件特許明細書は上記訂正請求が認められるものであるから，その請求項１に係る発明(以下，本件発明という)は，上記したとおりのものである。
　
ウ．判断
理由ａについて
　本件発明に係る疎水性吸油粉体は，訂正により，(i)メタクリル酸と炭素数8〜24の高級アルコールとのエステル等の多孔質ビニル系ポリマー及び(ii)多孔質ナイロンパウダーに限定されたので，ジメチルシリコーン架橋エラストマーであるトレフィルE-506CやポリメチルメタクリレートであるマイクロスフェアーMは含まれないものとなったことに加え，実施例からも「トレフィルE-506C」に関する記載はすべて削除されたので，明細書の記載に何ら不備はないものとなった。
　そうすると，もはや理由ａは成り立たない。
　
理由ｂについて
　刊行物１には，アルキル変性カルボキシビニルポリマーと塩基性物質とを含む皮膚化粧料が記載されているが，粉体については「水及び油に不要である粉体」と記載されているのみである。
　この粉体については，刊行物１の段落0008に具体的に列挙されているが，ここに記載された粉体は，「スクワラン吸油量が2.0g/g以上」であるか否かについて記載されていないだけでなく，そもそも本件発明の成分(ａ)として列挙された疎水性吸油粉体の材質に包含されないものである。そうすると，本件発明は刊行物１に記載された発明とはいえない。
　
　申立人谷川は，刊行物１に記載された粉体の代わりに刊行物２に記載された「自重の1.5倍以上のスクワランを吸収できる吸油性粉体」を使用することは容易であると主張しているが，刊行物２に記載された発明は，「すべすべ感を有し，べたつきがなくてさっぱりとした使用感を有し，しかも汗や皮脂による薬効成分や顔料等の化粧成分の消失，経時による顔のテカリ等の化粧崩れを良好に防止し，初期状態を持続することができる化粧料」を得るために，前記の吸油性粉体を特定のオルガノポリシロキサン，揮発性油剤と組み合わせて使用するものであって，この組み合わせなくして所期の効果を奏し得るか否かは不明である上，刊行物２に吸油性粉体として具体的に列挙された材質には本件発明の成分(ａ)として列挙されたものが含まれていない。
　また，申立人カネボウは，審査における拒絶理由で引用された刊行物１に記載された粉体として刊行物３に記載された「polytrap等の高度架橋疎水性多孔質ポリメタクリレートコポリマー」を使用することは容易であると主張しているが，このコポリマーは本件発明の成分(ａ)として列挙されたものではない。
　
　本件発明においては「スクワラン吸油量が2.0g/g以上の特定の材質の疎水性吸油粉体」を使用することにより所期の効果を奏することがその明細書の記載から明らかである。
　そうすると，「スクワラン吸油量が2.0g/g以上の特定の材質の疎水性吸油粉体」の点について何ら記載のない刊行物１〜３に基づいて，本件発明を当業者が容易発明することができたものということはできない。
　
請求項２に係る発明について
　請求項２に係る発明は，請求項１に係る発明における疎水性吸油粉体の平均粒径を限定するものであるが，上記したとおり，請求項１に係る発明に新規性，進歩性が存する以上，請求項２に係る発明にも新規性，進歩性が存することは明らかである。
　
４．むすび
　以上のとおりであるから，特許異議申立の理由及び証拠によっては本件請求項１及び２に係る発明の特許を取り消すことはできない。
　また，他に本件請求項１及び２に係る特許を取り消すべき理由を発見しない。
　よって，結論のとおり決定する。
【異議決定日】
平成１５年７月４日（２００３．７．４）
【訂正の要旨】
審決（決定）の【理由】欄参照。
（５４）【発明の名称】
ジェル状化粧料
（５７）【特許請求の範囲】
　【請求項１】　（ａ）（ｉ）メタクリル酸と炭素数８〜２４の高級アルコールとのエステル、アクリル酸と炭素数８〜２４の高級アルコールとのエステル、スチレン、炭素数１〜１２の炭化水素置換基をもつスチレン誘導体、炭素数８〜２０の飽和カルボン酸のビニルエステル、アクリル酸、メタクリル酸及び炭素数４〜６のジオレフィンからなる群から選ばれるビニル系モノマーの１種又は２種以上を、非重合性の有機溶剤に溶解し、更にこの溶液を水中に懸濁、分散あるいは乳化させた状態で重合し、重合終了後、該有機溶剤を除去することにより得られる多孔質ビニル系ポリマー、及び（ｉｉ）多孔質ナイロンパウダーから選ばれる、スクワランの吸油量が２．０ｇ／ｇ以上の疎水性吸油粉体を０．５〜５重量％、（ｂ）次の一般式（１）
　【化１】
（式中、Ｒ１は炭素数１０〜３０のアルキル基を示し、Ｘ及びＹはそれぞれ共重合体における各構成単位のモル％を示し、Ｘ＝８０．０〜９９．９モル％、Ｙ＝０．１〜２０．０モル％である。）
で表わされるアルキル変性カルボキシビニルポリマーを０．１〜１重量％、及び（ｃ）組成物のｐＨが５〜８となる量の塩基性物質を含有することを特徴とするジェル状皮膚化粧料。
　【請求項２】　疎水性吸油粉体が、平均粒径０．５〜５０μｍの球状粉体である請求項１記載のジェル状皮膚化粧料。
【発明の詳細な説明】
　【０００１】
　【発明の属する技術分野】
　本発明はジェル状化粧料に関し、更に詳細には、皮膚に塗布した場合ののびがよく、しかもべとつき感及び皮脂によるテカリのないジェル状化粧料に関する。
　【０００２】
　【従来の技術】
　水溶性高分子のひとつであるカルボキシビニルポリマーは、水性基剤において構造保持をつかさどるゲル化剤として有用な成分であり、これを用いることにより水分を系に多量に保持でき、水々しくさっぱりとした感触のゲル状化粧料を得ることができる。
　従来、これに、疎水性無水ケイ酸又は有機粉末若しくは無機粉末を配合することによりべたつきのない、肌のすべり感がよい、使用感に優れたジェル状化粧料が得られることが提案されている（特開平４−１０８７１４号公報、特開平６−１１６１３１号公報）。
　【０００３】
　しかしながら、従来のカルボキシビニルポリマーを用いたゲル状化粧料は、容器から指で取った場合やチューブ容器から肌上に押し出した場合に、肌上でののびが悪いという問題があった。また、上記粉体の使用によってもべたつき感のなさについては未だ不十分であり、更に皮脂によるテカリを防止することはできないものであった。
　【０００４】
　【発明が解決しようとする課題】
　従って、本発明の目的は、塗布した際に瞬時にジェルが崩壊し、肌上でのび易く、べたつき感のない、皮脂のテカリを防止するジェル状化粧料を提供することにある。
　【０００５】
　【課題を解決するための手段】
　斯かる実情において、本発明者らは鋭意検討を行った結果、疎水性吸油粉体、アルキル変性カルボキシビニルポリマー及び塩基性物質を組合わせて使用すれば、皮膚に塗布した際、のびがよく、べとつき感や皮脂によるテカリのないジェル状化粧料が得られることを見出し、本発明を完成するに至った。
　【０００６】
　すなわち、本発明は、（ａ）（ｉ）メタクリル酸と炭素数８〜２４の高級アルコールとのエステル、アクリル酸と炭素数８〜２４の高級アルコールとのエステル、スチレン、炭素数１〜１２の炭化水素置換基をもつスチレン誘導体、炭素数８〜２０の飽和カルボン酸のビニルエステル、アクリル酸、メタクリル酸及び炭素数４〜６のジオレフィンからなる群から選ばれるビニル系モノマーの１種又は２種以上を、非重合性の有機溶剤に溶解し、更にこの溶液を水中に懸濁、分散あるいは乳化させた状態で重合し、重合終了後、該有機溶剤を除去することにより得られる多孔質ビニル系ポリマー、及び（ｉｉ）多孔質ナイロンパウダーから選ばれる、スクワランの吸油量が２．０ｇ／ｇ以上の疎水性吸油粉体を０．５〜５重量％、（ｂ）後記一般式（１）で表わされるアルキル変性カルボキシビニルポリマーを０．１〜１重量％、及び（ｃ）組成物のｐＨが５〜８となる量の塩基性物質を含有することを特徴とするジェル状皮膚化粧料を提供するものである。
　【０００７】
　【発明の実施の形態】
　本発明で用いられる疎水性吸油粉体は、スクワランの吸油量が２．０ｇ／ｇ以上のものである。スクワランの吸油量は、ＪＩＳ　Ｋ５１０１（１９７８年）に規定される顔料の吸油量測定法に準拠して測定すればよい。即ち、粉体１ｇをガラス板上に取り、スクワランを少量ずつ滴下しながらヘラを用いて練り込み、粉体が全体的にペースト状になったときを終点とし、粉体１ｇあたりの所要スクワラン量（ｍｌ）を吸油量とする。ＪＩＳ法では油として煮あまに油を用いるが、本法では皮脂との類似性からスクワランを用いる。
　また、当該疎水性吸油粉体は、多孔質シリカ、タルク等の親水性吸油粉体では、水存在下、表面が水和され、吸油能（皮脂吸収能）を失うことから疎水性であることが必要である。
　【０００８】
　また、本発明で用いる疎水性吸油粉体は、溶解度パラメーター７〜１０のビニル系モノマーの１種又は２種以上を重合及び多孔質化して得られるポリマーであることが好ましい。
　溶解度パラメーター７〜１０のビニル系モノマーとしては、例えば、メタクリル酸と炭素数８〜２４の高級アルコールとのエステル、アクリル酸と炭素数８〜２４の高級アルコールとのエステル、スチレン若しくは炭素数１〜１２の直鎖若しくは分岐鎖を有する炭化水素置換基をもつスチレン誘導体、炭素数８〜２０の飽和カルボン酸のビニルエステル、アクリル酸、メタクリル酸、炭素数４〜６のジオレフィンなどが挙げられる。ビニル系モノマーの溶解度パラメーターが７〜１０の範囲とすることにより、皮脂との相溶性が優れ、十分な皮脂吸収能が得られる。
　これらのモノマーは、単独若しくは２種以上のモノマーを組合わせて用いられる。
　【０００９】
　また、上記ビニル系モノマーの重合及び多孔質化は、特開昭６３−３１６７１５号公報に記載の方法に従えばよく、該モノマーを非重合性の有機溶剤に溶解し、更にこの溶液を水中に懸濁、分散あるいは乳化させた状態で重合し、重合終了後、該有機溶剤を除去することにより行うことが好ましい。
　【００１０】
　本発明で用いる疎水性吸油粉体の平均粒径は、特に制限されないが、０．５〜５０μｍが好ましく、１〜２０μｍの球状粉体とすることが、感触の点から好ましい。
　かかる疎水性吸油粉体の具体例としては、オルガソール２００２（エルフ　オートケム社製）等の多孔質ナイロンパウダー；
　【００１１】
　【００１２】
多孔質ビニル系ポリマー等が挙げられる。
　【００１３】
　また、ジェル状化粧料中の疎水性吸油粉体の好ましい配合量は、０．１〜１０重量％（以下、単に「％」で示す）が好ましく、特に、０．５〜５％とすることが皮脂吸収能と感触の面から好ましい。
　【００１４】
　本発明で用いるアルキル変性カルボキシビニルポリマーとしては、特に制限されないが、水系の増粘剤で、水系の油を分散する能力を有することが必要である。具体的には、例えば、アクリル酸・メタクリル酸アルキル共重合体が好ましいものとして挙げられる。かかるアクリル酸・メタクリル酸アルキル共重合体としては、次の一般式（１）
　【００１５】
　【化２】
　【００１６】
（式中、Ｒ１は炭素数１０〜３０のアルキル基を示し、Ｘ及びＹはそれぞれ共重合体をにおける各構成単位のモル％を示し、Ｘ＝８０．０〜９９．９モル％、Ｙ＝０．１〜２０．０モル％である。）
の構造を有するものが好ましい。
　なお、市販のものとしては、カーボポール１３４２、ＰＥＭＵＬＥＮ　ＴＲ１、ＰＥＭＵＬＥＮ　ＴＲ−２（いずれもグットリッチ社製）が挙げられる。
　【００１７】
　アルキル変性カルボキシビニルポリマーは、１種又は２種以上を混合して用いてもよく、配合量は０．０１〜２％とすることが好ましく、特に０．１〜１％とすることが保型性と感触の点から好ましい。
　【００１８】
　本発明で用いられる塩基性物質としては、特に制限されず、上記アルキル変性カルボキシビニルポリマーを中和するものであればよい。具体的には、Ｌ−アルギニン、Ｌ−リジン、ヒスチジン、オルチニン、カナバニン等の塩基性アミノ酸；水酸化ナトリウム、水酸化カリウム等の水酸化物；トリエタノールアミン、２−アミノ−２−メチルプロパノール、アンモニア等の有機アミン等が挙げられる。このうち、塩基性アミノ酸が皮膚刺激性が低いことから好ましい。
　【００１９】
　塩基性物質は、１種又は２種以上を混合して用いてもよく、配合量は、上記アルキル変性カルボキシビニルポリマーを中和した後の組成物のｐＨが５〜８となるような量とすることが好ましい。
　【００２０】
　本発明のジェル状化粧料には上記必須成分以外に通常化粧料に用いられる他の任意成分を本発明の効果を損なわない範囲で、適宜配合することが可能である。このような任意成分としては、上記以外の水溶性高分子、酸化防止剤、紫外線吸収剤、キレート剤、着色剤、香料、化粧料粉体、防腐剤、低級アルコール等が挙げられる。しかし、液状油は配合しないことがべとつき感及び皮脂によるテカリ抑制の点から好ましい。
　【００２１】
　【発明の効果】
　本発明のジェル状化粧料は、肌上で瞬時にジェルが崩壊し、のばし易く、べとつき感がなく、皮脂によるテカリのない優れた使用感を有する。
　【００２２】
　【実施例】
　次いで実施例を挙げて本発明を更に説明するが、本発明はこれによって何ら限定されるものではない。
　【００２３】
実施例１
　表１に示す組成の本発明品１〜３及び比較品１〜３のジェル状化粧料を調製し、専門パネラー１０名により外観、肌上に塗布した際ののばし易さ及びべとつき感のなさ並びにテカリの抑制効果について評価した。肌上でののばし易さ、べとつき感については、サンプルを額に塗布した時の状態で、テカリの抑制効果については、塗布後６時間経過後のテカリ状態について３段階で評価した。結果を表１に示す。
　【００２４】
肌上でののばし易さ及びべとつき感のなさの評価基準
　　○：良
　　△：やや良
　　×：劣る
テカリの抑制の評価基準
　　○：テカリのない状態
　　△：少しテカリがある状態
　　×：脂浮き、テカリがある状態
　【００２５】
　【表１】
　【００２６】
実施例２　フェイス用ジェル状組成物
　　成分　　　　　　　　　　　　　　　　　　　　　　　　　　配合量（％）
　　　多孔質ビニル系ポリマー　　　　　　　　　　　　　　　　　２．０
　　　グリセリン　　　　　　　　　　　　　　　　　　　　　　　２．０
　　　エタノール　　　　　　　　　　　　　　　　　　　　　　　５．０
　　　アルキル変性カルボキシビニルポリマー　　　　　　　　　　０．３
　　　Ｌ−アルギニン　　　　　　　　　　　　　　　　　　　　　０．２
　　　パラオキシ安息香酸メチル　　　　　　　　　　　　　　　　０．１
　　
　水　　　　　　　　　　　　　　　　　　　　　　　　　　　残部　　　
　　　合計　　　　　　　　　　　　　　　　　　　　　　　　１００．０
製法：アルキル変性カルボキシビニルポリマーを水に溶解し、グリセリン等の成分を順次加えて、Ｌ−アルギニンで中和してフェイス用ジェル状化粧料を調製した。
　【００２７】
実施例３　ボディ用ジェル状組成物
　　成分　　　　　　　　　　　　　　　　　　　　　　　　　　配合量（％）
　　　多孔質ナイロンパウダー　　　　　　　　　　　　　　　　　２．０
　　　ポリオキシエチレン硬化ヒマシ油（６０Ｅ．Ｏ．）　　　　　１．０
　　　グリセリン　　　　　　　　　　　　　　　　　　　　　　　１．０
　　　エタノール　　　　　　　　　　　　　　　　　　　　　　　２．０
　　　アルキル変性カルボキシビニルポリマー　　　　　　　　　　０．３
　　　水酸化カリウム　　　　　　　　　　　　　　　　　　　　　０．１５
　　　オキシベンゾン　　　　　　　　　　　　　　　　　　　　　０．１
　　　パラオキシ安息香酸メチル　　　　　　　　　　　　　　　　０．１
　　　香料　　　　　　　　　　　　　　　　　　　　　　　　　　０．１
　　
　水　　　　　　　　　　　　　　　　　　　　　　　　　　　残部　　　
　　　合計　　　　　　　　　　　　　　　　　　　　　　　　１００．０
製法：実施例２と同様の手順で調製した。